(57)【要約】  【課題】  回動操作部材とこの回動操作部材の前面部を覆う把持部材との間に形成される隙間への上方から落下する埃等の進入を防止できる操作ハンドルを備えたパチンコ機を提供する。  【解決手段】  回動操作部材４３の遊技者側前端部には、把持部４２を構成するフランジ部材５３の外周部全周に対向する所定深さ（フランジ部材５３の外周部の厚さ寸法にほぼ等しい深さ寸法である。）の段差部８１が形成されている。そして、把持部４２は、フランジ部材５３がこの段差部８１に遊技者側から嵌め合わされた後、回動操作部材４３の各溝部７８に挿通された各取付ボス７９にネジ止めされて、ハンドル本体部４１に固設される。  【選択図】  図１４
2006158622.tif 000002
【特許請求の範囲】
【請求項１】
パチンコ球を発射する発射装置と、回動操作部材を回動させてパチンコ球の発射勢を調整する操作ハンドルと、前記操作ハンドルの調整に応じて前記発射装置を駆動制御する発射制御装置と、を備えたパチンコ機において、
前記操作ハンドルは、後端部がパチンコ機の前面部に固設されると共に、遊技者側の先端部が斜め上方向に傾斜するように形成されるハンドル本体部と、
前記ハンドル本体部の遊技者側先端部に対して前記回動操作部材の回動軸心が垂直になるように該ハンドル本体部との間に該回動操作部材を回動可能に保持すると共に、該回動操作部材の前面側を覆う把持部と、
を備え、
前記把持部は、前記回動操作部材の遊技者側前端部の外周径よりも小さい外径で該回動操作部材の遊技者側前端部から遊技者側方向に膨出して遊技者の手の平内に収まるように形成される略半球状の膨出部と、
前記膨出部の基端部の外周部から略直角外側方向に延出されて該基端部と回動操作部材との隙間を覆うフランジ部と、
を有し、
前記回動操作部材は、遊技者側前端部に前記フランジ部の外周部全周に対向する所定深さの段差部を有し、
前記フランジ部は、前記段差部に嵌め合わされ、
前記膨出部は、平面視及び底面視の場合には略半球状に形成され、側面視の場合には、複数の曲率半径で形成されて、上側基端部から遊技者側方向の先端面部に渡って徐々に曲率半径が小さくなるように滑らかな曲面で形成されると共に、前記遊技者側方向の先端面部が該回動操作部材の回動軸心よりも下方に位置するように形成されていることを特徴とするパチンコ機。
【請求項２】
前記回動操作部材は、外周部から外側方向に突設されて遊技者の指が引っ掛け可能な複数の引掛部を有し、
前記外周部は、遊技者側端面部の外径が前記ハンドル本体部側端面部の外径よりも小さくなるように略円錐台形状に形成されていることを特徴とする請求項１に記載のパチンコ機。
【請求項３】
前記膨出部の基端部の上端部と回動操作部材との隙間は、該基端部の下端部と回動操作部材との隙間よりも大きくなるように形成されていることを特徴とする請求項１又は請求項２に記載のパチンコ機。
【発明の詳細な説明】
【技術分野】
【０００１】
本発明は、パチンコ球を発射する発射装置と、回動操作部材を回動させてパチンコ球の発射勢を調整する操作ハンドルと、前記操作ハンドルの調整に応じて前記発射装置を駆動制御する発射制御装置と、を備えたパチンコ機に関するものである。
【背景技術】
【０００２】
従来より、パチンコ球を発射する発射装置と、回動操作部材を回動させてパチンコ球の発射勢を調整する操作ハンドルと、前記操作ハンドルの調整に応じて前記発射装置を駆動制御する発射制御装置と、を備えたパチンコ機に関して種々提案されている。
例えば、パチンコ機の内枠に設置されたハンドルベースと、ハンドルベースに立設した第１の支持軸により回転可能に支持された発射レバーと、発射レバーと一体で回転する第１の歯車と、ハンドルベースに立設した第２の支持軸により回転可能に支持されると共に第１の歯車に噛合されて、発射レバーを初期位置に向けて付勢する第２の歯車と、ハンドルベースに立設した第３の支持軸により回転可能に支持されると共に第１の歯車に噛合されて、発射レバーを初期位置に向けて付勢する第３の歯車と、調整軸の位相角度に基づいて発射装置の打球飛距離が調節される可変抵抗器と、可変抵抗器の調整軸に固着されると共に第１の歯車に噛合された第４の歯車とを具備したパチンコ機が提案されている（例えば、特許文献１参照。）。
【特許文献１】特開２００２−１２６２０１号公報（段落（００１４）〜（００３４）、図１〜図９）
【発明の開示】
【発明が解決しようとする課題】
【０００３】
しかしながら、上述のパチンコ機のハンドルグリップ構造では、ハンドルグリップセットをコンパクトにすることができるが、遊技者の手の平が対向する発射レバーの手前側のキャップは、高さの低いドーム形で、この発射レバーの前端部外周の外側に前側から覆うように嵌め合わされているため、このキャップ後端部と発射レバーとの間に形成される隙間に上方から落下する煙草の灰等の埃が進入し、発射レバーのスムーズな動きを妨げる虞があるという問題がある。また、発射レバーとキャップとの間に形成される隙間に入った埃等の清掃するためには、ハンドルグリップセットを分解する必要があり、清掃作業が煩雑であるという問題がある。また、遊技者の手の平が対向する発射レバーの手前側のキャップは、高さの低いドーム形であるため、遊技者は手の平をこのキャップに載せることができない構成になっている。このため、遊技者は発射レバーの操作時に、手にかかる重量が全て発射レバーを掴む指に掛かるので指の負担が大きくなり、長時間遊技を続けた場合には、手及び指の疲労が大きくなるという問題がある。
【０００４】
そこで、本発明は、上述した問題点を解決するためになされたものであり、回動操作部材とこの回動操作部材の前面部を覆う把持部材との間に形成される隙間への上方から落下する埃等の進入を防止できる操作ハンドルを備えたパチンコ機を提供することを目的とする。また、パチンコ球の発射勢を調整する操作ハンドルを操作する場合に、指が手の重量を感じることなく、容易に回動操作を行うことができ、長時間遊技を続けても手及び指の疲労感の少ないパチンコ機を提供することを目的とする。
【課題を解決するための手段】
【０００５】
前記目的を達成するため請求項１に係るパチンコ機は、パチンコ球を発射する発射装置と、回動操作部材を回動させてパチンコ球の発射勢を調整する操作ハンドルと、前記操作ハンドルの調整に応じて前記発射装置を駆動制御する発射制御装置と、を備えたパチンコ機において、前記操作ハンドルは、後端部がパチンコ機の前面部に固設されると共に、遊技者側の先端部が斜め上方向に傾斜するように形成されるハンドル本体部と、前記ハンドル本体部の遊技者側先端部に対して前記回動操作部材の回動軸心が垂直になるように該ハンドル本体部との間に該回動操作部材を回動可能に保持すると共に、該回動操作部材の前面側を覆う把持部と、を備え、前記把持部は、前記回動操作部材の遊技者側前端部の外周径よりも小さい外径で該回動操作部材の遊技者側前端部から遊技者側方向に膨出して遊技者の手の平内に収まるように形成される略半球状の膨出部と、前記膨出部の基端部の外周部から略直角外側方向に延出されて該基端部と回動操作部材との隙間を覆うフランジ部と、を有し、前記回動操作部材は、遊技者側前端部に前記フランジ部の外周部全周に対向する所定深さの段差部を有し、前記フランジ部は、前記段差部に嵌め合わされ、前記膨出部は、平面視及び底面視の場合には略半球状に形成され、側面視の場合には、複数の曲率半径で形成されて、上側基端部から遊技者側方向の先端面部に渡って徐々に曲率半径が小さくなるように滑らかな曲面で形成されると共に、前記遊技者側方向の先端面部が該回動操作部材の回動軸心よりも下方に位置するように形成されていることを特徴とする。
【０００６】
また、請求項２に係るパチンコ機は、請求項１に記載のパチンコ機において、前記回動操作部材は、外周部から外側方向に突設されて遊技者の指が引っ掛け可能な複数の引掛部を有し、前記外周部は、遊技者側端面部の外径が前記ハンドル本体部側端面部の外径よりも小さくなるように略円錐台形状に形成されていることを特徴とする。
【０００７】
更に、請求項３に係るパチンコ機は、請求項１又は請求項２に記載のパチンコ機において、前記膨出部の基端部の上端部と回動操作部材との隙間は、該基端部の下端部と回動操作部材との隙間よりも大きくなるように形成されていることを特徴とする。
【発明の効果】
【０００８】
請求項１に係るパチンコ機では、ハンドル本体部の遊技者側の先端部が斜め上方向に傾斜し、回動操作部材の回動軸心は、このンドル本体部の遊技者側先端部に対して垂直になるように設けられている。また、該回動操作部材の前面側を覆う把持部には回動操作部材の遊技者側前端部から遊技者側方向に膨出して遊技者の手の平内に収まるように形成される略半球状の膨出部が設けられている。また、この把持部の膨出部の基端部は、回動操作部材の遊技者側前端部の外周径よりも小さい外径に形成されると共に、該基端部の外周部から略直角外側方向に延出されて該基端部と回動操作部材との隙間を覆うフランジ部が設けられている。一方、回動操作部材は、遊技者側前端部にこのフランジ部の外周部全周に対向する所定深さの段差部が形成されている。そして、この膨出部の基端部に形成されるフランジ部は、回動操作部材の前端部に形成される段差部に嵌め合わされて取り付けられている。これにより、回動操作部材の段差部と把持部のフランジ部との間に形成される隙間は、このフランジ部の外周面と段差部の内周面とによって該回動操作部材の前面側方向に開口するように形成されるため、この回動操作部材と把持部との間に形成される隙間への上方から落下する煙草の灰等の埃の進入を防止でき、操作ハンドルの操作性を維持することができると共に、清掃を簡単に行うことができる。
また、把持部の膨出部の基端部は、回動操作部材の遊技者側前端部の外周径よりも小さい外径に形成されるため、膨出部の基端部の上端面部と回動操作部材の遊技者側前端部との間に段差が形成され、回動操作部材の操作時に遊技者の手指と膨出部の基端部との間に隙間が形成される。このため、回動操作部材の操作時に、指が膨出部の基端部に接触することを防止できる。また、操作ハンドルを把持するにあたり、手指の回動操作部材に接触し自由に動かす部分と、手の重量を支え固定する部分とが、この遊技者の手指と膨出部の基端部との間に形成される隙間によって分けられることとなり、指を動かし易くスムーズ且つ微少な回動操作を行うことが可能となる。また、膨出部の基端部と回動操作部材の遊技者側前端部との間に形成される隙間は、この膨出部の基端部の外周部から略直角外側方向に延出されて形成されるフランジ部によって覆われるため、膨出部の基端部の上端面部と回動操作部材の遊技者側前端部との間に形成される段差に指が挟み込まれるのを確実に防止することができる。
また、把持部の膨出部は、平面視及び底面視の場合には略半球状に形成され、側面視の場合には、複数の曲率半径で形成されて、上側基端部から遊技者側方向の先端面部に渡って徐々に曲率半径が小さくなるように滑らかな曲面で形成されると共に、遊技者側方向の先端面部が該回動操作部材の回動軸心よりも下方に位置するように形成されているため、この膨出部の手の平が接触する斜め上方向部分の形状が手の平内面の形状に近い形状となる。このため、回動操作部材の操作時に、遊技者は斜め上方向から膨出部の上面部に手の平全体を載せることが可能となり、手をスムーズな姿勢で把持部の膨出部に置いて回動操作を行うことができ、長時間遊技を続けても手及び指の疲労感を少なくすることができる。
【０００９】
また、請求項２に係るパチンコ機では、回動操作部材は、外周部から外側方向に突設されて遊技者の指が引っ掛け可能な複数の引掛部を有し、この外周部は、遊技者側端面部の外径がハンドル本体部側端面部の外径よりも小さくなるように略円錐台形状に形成されている。
これにより、回動操作部材の複数の引掛部に指を引っ掛けて操作する場合に、遊技者は手の平の全体を把持部の膨出部に載せて操作できると共に、この回動操作部材の外周部に指を自然に開いた状態で載せて操作できるため、回動操作部材の操作性の向上を図ることができ、長時間遊技を続けても手及び指の疲労感を更に少なくすることができる。
【００１０】
更に、請求項３に係るパチンコ機では、把持部の膨出部の基端部の上端部と回動操作部材との隙間は、該基端部の下端部と回動操作部材との隙間よりも大きくなるように形成されている。これにより、回動操作部材の操作時に遊技者の手指と膨出部の基端部との間に形成される隙間を更に大きくすることができるため、回動操作部材の操作時に、指が膨出部の基端部に接触することを確実に防止でき、指を動かし易くスムーズ且つ微少な回動操作を確実に行うことができる。また、この把持部を回動操作部材の回動軸心よりも下側方向により偏心させて設けることが可能となるため、回動操作部材の回動操作時に、遊技者は斜め上方向から膨出部の上面部に手の平全体を更に容易に載せることが可能となり、手をスムーズな姿勢で把持部の膨出部に置いて回動操作を行うことができ、長時間遊技を続けても手及び指の疲労感を更に少なくすることができる。
【発明を実施するための最良の形態】
【００１１】
以下、本発明に係るパチンコ機について具体化した一実施例を図面を参照して詳細に説明する。
【実施例１】
【００１２】
先ず、本実施例に係るパチンコ機の概略構成について図１乃至図５に基づき説明する。
図１乃至図５に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の左上端縁部には、フルカラーの発光ダイオードが内蔵され、遊技中のエラーを表示するエラー表示電飾ランプ６Ａが取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１３】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１４】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイドや発射勢装置として機能する発射制御基板等から構成され、該発射制御基板は、操作ハンドル１０の内部に取り付けられる可変抵抗器５７を介して発射ソレノイドへの供給電力が調節され、パチンコ球の発射勢を強めたり、弱めたりすることが可能なように構成されている。これにより、遊技者が操作ハンドル１０における回動操作部材４３（図６参照）の回動量を調節することによって、可変抵抗器５７（図１４参照）の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部１２（図３参照）が設けられている。
【００１５】
また、この内枠３のほぼ中央部には不図示の遊技盤が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２０は、傾斜した底面に連通孔が形成され、その連通孔の下方にはパチンコ球を２列に整列流出し、賞球払出装置２２にパチンコ球を送る通路を形成するタンクレール２３が取付けられている。また、賞球払出装置２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００１６】
また、タンクレール２３の下側には液晶表示器（ＬＣＤ）等を制御する演出表示基板が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ及びエラー表示電飾ランプ６等のフルカラーダイオードを駆動制御するサブ統合制御基板が内蔵されるサブ統合制御基板ケース２８が配設されている。また、このサブ統合制御基板ケース２８の下側には、パチンコ機１の遊技動作を制御する主制御基板が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００１７】
次に、操作ハンドル１０の概略構成について図６乃至図１５に基づいて説明する。
図６乃至図１２に示すように、操作ハンドル１０は、内枠３の前面部にビス止め等によって固設されるハンドル本体部４１と、このハンドル本体部４１に固定的に保持される把持部４２と、このハンドル本体部４１と把持部４２との間に回動可能に設けられる回動操作部材４３とから構成されている。
ここに、図６乃至図１４に示すように、ハンドル本体部４１は、内枠３の前面側に向かって略垂直に突設される略円筒状で、遊技者側先端部が斜め上方向に所定傾斜角度（例えば、約１５度〜２５度の傾斜角度で、望ましくは約２０度〜２２度の傾斜角度である。）で傾斜するように形成された支持部材４５と、この支持部材４５の径よりも大径を有し該支持部材４５の遊技者側先端部に連続するようにビス４６を介して取り付けられ、把持部４２を固定的に保持する略半球状の保持部材４７とから構成されている。このため、図９、図１０及び図１４に示すように、操作ハンドル１０を内枠３の前面部に取り付けた場合には、保持部材４７の遊技者側先端部は、斜め上方向に所定傾斜角度（例えば、約１５度〜２５度の傾斜角度で、望ましくは約２０度〜２２度の傾斜角度である。）で傾斜するように設けられている。また、支持部材４５の後端面には、内枠３の前面部に形成される不図示の位置決め孔に嵌入される各位置決め突起４８が突設されている。また、この支持部材４５の後端面には、操作ハンドル１０を内枠３の前面部にネジ止めするための各ネジ孔４９が設けられている。
【００１８】
また、図１３及び図１４に示すように、保持部材４７の底面部には、回動操作部材４３の回動量を検出するための可変抵抗器５７がナットで取り付けられると共に、この可変抵抗器５７の回転軸にはギヤ５８が取り付けられている。かかる可変抵抗器５７は回動操作部材４３を回転させることによってギヤ５８を介して回転する回転軸の回転量に基づき抵抗値が変化し、このように変化された抵抗値の信号が信号線を介して発射制御基板に入力される。
また、この保持部材４７の底面部には、発射停止スイッチ６０と、この発射停止スイッチ６０によって該保持部材４７の外側方向に突出するように（図７参照）付勢されている平面視略Ｓ字形の操作部５０が設けられている。この発射停止スイッチ６０は、発射制御基板に電気的に接続される。そして、操作部５０が押下されていない場合には、該発射制御基板にＯＦＦ信号を送出し、この操作部５０が押下された場合には、該発射制御基板にＯＮ信号を送出するように構成されている。また、発射制御基板は、発射停止スイッチ６０からＯＦＦ信号が入力されている場合には、パチンコ球を叩打する発射ソレノイドを駆動可能な状態に設定し、該発射停止スイッチ６０からＯＮ信号が入力されている場合には、発射ソレノイドを停止するように駆動制御する。
【００１９】
また、図６乃至図１２に示すように、把持部４２は、回動操作部材４３の遊技者側前端部から遊技者側方向に膨出して遊技者の手の平内に収まるように形成される略半球状の膨出部５２と、この膨出部５２の背面部に取り付けられて該膨出部５２の基端部の外周部から略直角外側方向に延出されるように設けられてフランジ部として機能する正面視略円形のフランジ部材５３とから構成されている。また、この膨出部５２の基端部は、回動操作部材４３の遊技者側前端部の外周径よりも小さい外径に形成され、該基端部と回動操作部材４３との隙間がフランジ部材５３によって覆われている。
また、この膨出部５２は、図１１及び図１２に示すように、平面視及び底面視の場合には略半球状に形成され、図９及び図１０に示すように、側面視の場合には、複数の曲率半径で形成されて、上側基端部から遊技者側方向の先端面部５２Ａに渡って徐々に曲率半径が小さくなるように滑らかな曲面で形成されている。また、図１４に示すように、遊技者側方向の先端面部５２Ａが該回動操作部材４３の回動軸心４３Ａよりも下方に位置するように構成されている。
【００２０】
ここで、図１３及び図１４に示すように、膨出部５２は、略高さの低い円筒状で、先端側端面部が上方に所定角度傾斜するように形成されるフランジ取付部材６２と、このフランジ取付部材６２の先端側端面部にビス止めされる側面視略半球状で上側基端部から遊技者側方向の先端面部５２Ａに渡って徐々に曲率半径が小さくなるように滑らかな曲面で形成される当接部材６３とから構成されている。これにより、膨出部５２の下面部を容易に下側方向に突出する滑らかな曲面に形成することができ、樹脂成形コストの削減下を図ることができる。
また、膨出部５２は、この膨出部５２の基端部の上端面部と、フランジ部材５３の外周端面部との距離寸法が、該膨出部５２の基端部の下端面部と、フランジ部材５３の外周端面部との距離寸法よりも大きくなるように該フランジ部材５３にビス止めされている。
【００２１】
また、図６乃至図１２に示すように、回動操作部材４３は、その外周部５５に、手の指の長さ等に合致させるとともに指を引っ掛けるための複数個（図６には３個が示されている）の各引掛部５５Ａ乃至５５Ｃが一体に外側方向に突設されている。また、この回動操作部材の外周部５５は、遊技者側端面部の外径が前記ハンドル本体部側端面部の外径よりも小さくなるように略円錐台形状に形成されている。
また、図１３及び図１４に示すように、回動操作部材４３の内側に形成される板状部６５における略中央位置には、回転軸部材７２がビス止めされ、この回転軸部材７２には円筒状の各回転軸部７０、７１が回動軸心４３Ａを軸心とするように、それぞれ所定高さ垂設されている。この回転軸部材７２の回転軸７０は、フランジ部５３の底面部の略中央部に前側方向（図１４中、左側方向）に凹むように形成される回転支持部６７に回転可能に嵌入されている。また、回転軸部材７２の回転軸７１は、保持部材４７の底面部の略中央部に後ろ側方向（図１４中、右側方向）に凹むように形成される回転支持部６８に回転可能に嵌入されている。また、この回転軸部材７２の回転軸７１の基端部には、可変抵抗器５７の回転軸に固設されるギヤ５８と歯合するギヤ部７１Ａが形成され、回動操作部材４３の回動量がギヤ部７１Ａ及びギヤ５８を介して可変抵抗器５７の回転軸に伝達される。
【００２２】
また、回動操作部材４３の把持部４２側に立設される回転軸７０の基端部外周には、復帰バネ７３が配設されている。この復帰バネ７３の一端側は、回転軸部材７２に固定され、他端側は、保持部材４７の内側面に立設されるボス部７５の先端部に固定されている。これにより、回動操作部材４３は、復帰バネ７３により非操作位置（回転操作されていない位置）に向かって常時付勢されており（図７中、反時計回転方向に付勢されている）、回動操作部材４３が回転された後に回動操作部材４３から指が離されると、その捻り弾性力に基づき回動操作部材４３は非操作位置まで復帰される。
また、回動操作部材４３の表面部には、導電性薄膜が形成されて、該回動操作部材４３の板上部６５に設けられるタッチ検出回路７７に電気的に接続されている。そして、このタッチ検出回路７７は、発射制御基板に接続されており、タッチ検出回路７７を介して遊技者が回動操作部材４３に触れている信号が発射制御基板に入力された場合にのみ発射ソレノイドが駆動可能な状態になるように構成されている。
【００２３】
また、図１３に示すように、保持部材４７の内側面の３箇所には、内部に貫通孔が形成されて、回動操作部材４３の板上部６５に形成される正面視円弧上の一対の各溝部７８に挿通される各取付ボス７９が設けられている。これにより、回動操作部材４３の回動範囲が可変抵抗器５７の抵抗可変範囲内に限定されるように構成されている。
また、図１３及び図１４に示すように、回動操作部材４３の遊技者側前端部には、把持部４２を構成するフランジ部材５３の外周部全周に対向する所定深さ（フランジ部材５３の外周部の厚さ寸法にほぼ等しい深さ寸法である。）の段差部８１が形成されている。そして、把持部４２は、フランジ部材５３がこの段差部８１に遊技者側から嵌め合わされた後、回動操作部材４３の各溝部７８に挿通された各取付ボス７９にネジ止めされて、ハンドル本体部４１に固設される。また、上記の通り、膨出部５２の基端部の上端面部と、フランジ部材５３の外周端面部との距離寸法が、該膨出部５２の基端部の下端面部と、フランジ部材５３の外周端面部との距離寸法よりも大きくなるように構成されているため、膨出部５２の基端部の上端部と回動操作部材４３との隙間は、該膨出部５２の基端部の下端部と回動操作部材４３との隙間よりも大きくなるように形成される。
このため、図１５に示すように、遊技者がパチンコ機１の前に座って、右手８３で操作ハンドル１０をもった場合には、膨出部５２の上面部に右手８３の手の平が載せられ、各指が自然に広がった状態で回動操作部材４３の外周部５５に置かれると共に、各指が各引掛部５５Ａ〜５５Ｃに引っ掛けられる。また、各指の付け根の下側には、回動操作部材４３の外周部５５及び膨出部５２の基端部との間に隙間８５が形成される。
【００２４】
従って、本実施例に係るパチンコ機１では、ハンドル本体部４１の遊技者側の先端部が斜め上方向に傾斜し、回動操作部材４３の回動軸心４３Ａは、このンドル本体部４１の遊技者側先端部に対してほぼ垂直になるように設けられている。また、該回動操作部材４３の前面側を覆う把持部４２には回動操作部材４３の遊技者側前端部から遊技者側方向に膨出して遊技者の手の平内に収まるように形成される略半球状の膨出部５２が設けられている。このため、遊技者が回動操作部材４３を操作してパチンコ球の発射勢を調整する場合には、遊技者の手の平を略半球状の膨出部５２に対して斜め上方向から載せることが可能となり、手にかかる重量をほぼ全て膨出部５２に載せた手の平にかけて操作することが可能となり、回動操作部材４３にかけた指が手の重量を感じることなく、容易に回動操作を行うことができ、長時間遊技を続けても手及び指の疲労感を少なくすることができる。
また、把持部４２の膨出部５２は、平面視及び底面視の場合には略半球状に形成され、側面視の場合には、複数の曲率半径で形成されて、上側基端部から遊技者側方向の先端面部に渡って徐々に曲率半径が小さくなるように滑らかな曲面で形成されると共に、遊技者側方向の先端面部５２Ａが該回動操作部材４３の回動軸心４３Ａよりも下方に位置するように形成されているため、この膨出部５２の手の平が接触する斜め上方向部分の形状が手の平内面の形状に近い形状となる。このため、回動操作部材４３の操作時に、遊技者は斜め上方向から膨出部５２の上面部に手の平全体を載せることになる。つまり、遊技者がパチンコ球発射のために回動操作部材４３に指を掛けて操作ハンドル１０を把持する行為自体が、手の平を把持部４２の膨出部５２に載せる行為となる。従って、手にかかる重量を手の平で支えながら指先で回動操作部材４３を操作できるスムーズな姿勢で、この回動操作部材４３の回動操作を行うことができ、長時間遊技を続けても手及び指の疲労感を更に少なくすることができる。
【００２５】
また、この把持部４２の膨出部５２の基端部は、回動操作部材４３の遊技者側前端部の外周径よりも小さい外径に形成されると共に、該基端部の外周部から略直角外側方向に延出されて該基端部と回動操作部材４３との隙間を覆うフランジ部材５３が設けられている。一方、回動操作部材４３は、遊技者側前端部にこのフランジ部材５３の外周部全周に対向する所定深さの段差部８１が形成されている。そして、この膨出部５２の基端部に形成されるフランジ部材５３は、回動操作部材４３の前端部に形成される段差部８１に嵌め合わされて取り付けられている。これにより、回動操作部材４３の段差部８１と把持部４２のフランジ部材５３との間に形成される隙間は、このフランジ部材５３の外周面と段差部８１の内周面とによって該回動操作部材４３の前面側方向に開口するように形成されるため、この回動操作部材４３と把持部４２との間に形成される隙間への上方から落下する煙草の灰等の埃の進入を防止でき、操作ハンドル１０の操作性を維持することができると共に、清掃を簡単に行うことができる。
また、把持部４２の膨出部５３の基端部は、回動操作部材４３の遊技者側前端部の外周径よりも小さい外径に形成されるため、膨出部５３の基端部の上端面部と回動操作部材４３の遊技者側前端部との間に段差が形成され、回動操作部材の操作時に遊技者の手指と膨出部５３の基端部との間に隙間８５が形成される。このため、回動操作部材４３の操作時に、指が膨出部５２の基端部に接触することを防止できる。また、操作ハンドル１０を把持するにあたり、手指の回動操作部材４３に接触し自由に動かす部分と、手の重量を支え固定する部分とが、この遊技者の手指と膨出部５２の基端部との間に形成される隙間８５によって分けられることとなり、指を動かし易くスムーズ且つ微少な回動操作を行うことが可能となる。また、膨出部５２の基端部と回動操作部材４３の遊技者側前端部との間に形成される隙間は、この膨出部５２の基端部の外周部から略直角外側方向に延出されて形成されるフランジ部材５３によって覆われるため、膨出部５２の基端部の上端面部と回動操作部材４３の遊技者側前端部との間に形成される段差に指が挟み込まれるのを確実に防止することができる。
【００２６】
また、把持部４２の膨出部５３の基端部の上端部と回動操作部材４３との隙間は、該基端部の下端部と回動操作部材４３との隙間よりも大きくなるように形成されている。これにより、回動操作部材４３の操作時に遊技者の手指と膨出部５２の基端部との間に形成される隙間を更に大きくすることができるため、回動操作部材４３の操作時に、指が膨出部５２の基端部に接触することを確実に防止でき、指を動かし易くスムーズ且つ微少な回動操作を確実に行うことができる。また、この把持部４２を回動操作部材４３の回動軸心４３Ａよりも下側方向により偏心させて設けることが可能となるため、回動操作部材４３の回動操作時に、遊技者は斜め上方向から膨出部の上面部に手の平全体を更に容易に載せることが可能となり、手をスムーズな姿勢で把持部４２の膨出部５２に置いて回動操作を行うことができ、長時間遊技を続けても手及び指の疲労感を更に少なくすることができる。
更に、回動操作部材４３は、外周部５５から外側方向に突設されて遊技者の指が引っ掛け可能な複数の引掛部５５Ａ〜５５Ｃを有し、この外周部５５は、遊技者側端面部の外径がハンドル本体部４１側端面部の外径よりも小さくなるように略円錐台形状に形成されている。これにより、回動操作部材４３の複数の引掛部５５Ａ〜５５Ｃに指を引っ掛けて操作する場合に、遊技者は手の平の全体を把持部４２の膨出部５２に載せて操作できると共に、この回動操作部材４３の外周部５５に指を自然に開いた状態で載せて操作できるため、回動操作部材４３の操作性の向上を図ることができ、長時間遊技を続けても手及び指の疲労感を更に少なくすることができる。
【００２７】
尚、本発明は、上記実施例に限定されるものではなく、本発明の要旨を逸脱しない範囲内で種々の改良、変形が可能であることは勿論である。例えば、以下のようにしてもよい。
【実施例２】
【００２８】
（Ａ）上記実施例では、操作ハンドル１０は、把持部４２がハンドル本体部４１に固設されているが、この把持部４２に替えて、図１６及び図１７に示すように、把持部９１をハンドル本体部４１に固設する構成にしてもよい。
この把持部９１は、回動操作部材４３の遊技者側前端部から該回動操作部材４３の回動軸心４３Ａを軸心として遊技者側方向（図１６中、回動軸心４３Ａに沿って左上方向）に側面視略釣り鐘形状に膨出して遊技者の手の平内に収まるように形成される膨出部９２と、この膨出部９２の基端部の外周部から略直角外側方向に延出される正面視略円形のフランジ部９３とから構成されている。また、この膨出部９２の基端部は、回動操作部材４３の遊技者側前端部の外周径よりも小さい外径に形成され、該基端部と回動操作部材４３との隙間がフランジ部９３によって覆われている。また、このフランジ部９３の外形寸法及び厚さ寸法は、回動操作部材４３の内周面の遊技者側前端部に形成される段差部８１の内径寸法及び深さ寸法にほぼ等しくなるように形成されている。
【００２９】
そして、把持部９１は、フランジ部９３がこの段差部８１に遊技者側から嵌め合わされた後、回動操作部材４３の各溝部７８に挿通された各取付ボス７９にネジ止めされて、ハンドル本体部４１に固設される。
このため、遊技者がパチンコ機１の前に座って、操作ハンドル１０をもった場合には、膨出部９２の上面部に手の平が載せられ、各指が自然に広がった状態で回動操作部材４３の外周部５５に置かれると共に、各指が各引掛部５５Ａ〜５５Ｃに引っ掛けられる。また、各指の付け根の下側には、回動操作部材４３の外周部５５及び膨出部９２の基端部との間に隙間が形成される。
【００３０】
従って、パチンコ機１は、操作ハンドル１０のハンドル本体部４１の遊技者側の先端部が斜め上方向に傾斜し、回動操作部材４３の回動軸心４３Ａは、このンドル本体部の遊技者側先端部に対して垂直になるように設けられている。また、該回動操作部材４３の前面側を覆う把持部９１には回動操作部材４３の遊技者側前端部から該回動操作部材４３の回動軸心４３Ａ方向に膨出して遊技者の手の平内に収まるように形成される側面視略釣り鐘形状の膨出部９２が設けられている。このため、遊技者が回動操作部材４３を操作してパチンコ球の発射勢を調整する場合には、遊技者の手の平を側面視略釣り鐘形状の膨出部９２に対して斜め上方向から載せることが可能となり、手にかかる重量をほぼ全て膨出部９２に載せた手の平にかけて操作することが可能となり、回動操作部材４３にかけた指が手の重量を感じることなく、容易に回動操作を行うことができ、長時間遊技を続けても手及び指の疲労感を少なくすることができる。
【００３１】
また、回動操作部材４３の外周部５５は、遊技者側端面部の外径がハンドル本体部４１側端面部の外径よりも小さくなるように略円錐台形状に形成されているため、回動操作部材４３の複数の引掛部５５Ａ〜５５Ｃに指を引っ掛けて操作する場合に、遊技者は手の平を把持部９１の膨出部９２に載せて操作できると共に、指は操作ハンドル１０の把持行為の一環として回動操作部材４３の外周部５５に自然に伸ばして開いた状態で載せて操作できるため、回動操作部材４３の操作性の向上を図ることができ、長時間遊技を続けても手及び指の疲労感を更に少なくすることができる。
また、把持部９１の膨出部９２の基端部は、回動操作部材４３の遊技者側前端部の外周径よりも小さい外径に形成されると共に、該基端部の外周部から略直角外側方向に延出されて該基端部と回動操作部材４３との隙間を覆うフランジ部９３が設けられている。これにより、膨出部９２の基端部と回動操作部材４３の遊技者側前端部との間に段差が形成され、回動操作部材４３の操作時に遊技者の手指と膨出部９２の基端部との間に隙間が形成されるため、回動操作部材４３の操作時に、指が膨出部９２の基端部に接触することを防止でき、指を動かし易くスムーズ且つ微少な回動操作を行うことが可能となる。また、膨出部９２の基端部と回動操作部材４３の遊技者側前端部との間に形成される隙間は、この膨出部９２の基端部の外周部から略直角外側方向に延出されて形成されるフランジ部９３によって覆われるため、膨出部９２の基端部と回動操作部材４３の遊技者側前端部との間に形成される段差に指が挟み込まれるのを確実に防止することができる。
【００３２】
更に、把持部９１は、回動操作部材４３の遊技者側前端部から該回動操作部材４３の回動軸心４３Ａ方向に側面視略釣り鐘形状に膨出して遊技者の手の平内に収まるように形成される膨出部９２と、この膨出部９２の基端部の外周部から略直角外側方向に延出される正面視略円形のフランジ部９３とから構成されるため、この把持部９１を樹脂成形によって作成することが可能となり、部品点数の削減化及び作業工数の削減化を図ることができる。
【実施例３】
【００３３】
（Ｂ）上記実施例では、操作ハンドル１０は、把持部４２がハンドル本体部４１に固設されているが、この把持部４２に替えて、図１８及び図１９に示すように、把持部９５をハンドル本体部４１に固設する構成にしてもよい。
この把持部９５は、回動操作部材４３の遊技者側前端部から該回動操作部材４３の回動軸心４３Ａよりも下方に位置するように偏心して配置される軸心９５Ａに沿って、前側方向（図１８中、軸心９５Ａに沿って左上方向）に側面視略釣り鐘形状に膨出して遊技者の手の平内に収まるように形成される膨出部９６と、この膨出部９６の基端部の外周部から略直角外側方向に、回動軸心４３Ａを中心軸とする正面視略円形状に延出されるフランジ部９７とから構成されている。また、この膨出部９６の基端部は、回動操作部材４３の遊技者側前端部の外周径よりも小さい外径に形成され、該基端部と回動操作部材４３との隙間がフランジ部９７によって覆われている。また、このフランジ部９７の外形寸法及び厚さ寸法は、回動操作部材４３の内周面の遊技者側前端部に形成される段差部８１の内径寸法及び深さ寸法にほぼ等しくなるように形成されている。
【００３４】
そして、把持部９５は、フランジ部９７がこの段差部８１に遊技者側から嵌め合わされた後、回動操作部材４３の各溝部７８に挿通された各取付ボス７９にネジ止めされて、ハンドル本体部４１に固設される。
このため、遊技者がパチンコ機１の前に座って、操作ハンドル１０をもった場合には、膨出部９６の上面部に手の平が載せられ、各指が自然に広がった状態で回動操作部材４３の外周部５５に置かれると共に、各指が各引掛部５５Ａ〜５５Ｃに引っ掛けられる。また、各指の付け根の下側には、回動操作部材４３の外周部５５及び膨出部９６の基端部との間に隙間が形成される。
【００３５】
従って、パチンコ機１は、操作ハンドル１０のハンドル本体部４１の遊技者側の先端部が斜め上方向に傾斜し、回動操作部材４３の回動軸心４３Ａは、このンドル本体部の遊技者側先端部に対して垂直になるように設けられている。また、該回動操作部材４３の前面側を覆う把持部９５には回動操作部材４３の遊技者側前端部から該回動操作部材４３の回動軸心４３Ａよりも下方に偏心した軸心９５Ａに沿って、前側方向に側面視略釣り鐘形状に膨出して遊技者の手の平内に収まるように形成される膨出部９６が設けられている。このため、遊技者が回動操作部材４３を操作してパチンコ球の発射勢を調整する場合には、遊技者の手の平を側面視略釣り鐘形状の膨出部９６に対して斜め上方向から載せることが可能となり、手にかかる重量をほぼ全て膨出部９６に載せた手の平にかけて操作することが可能となり、回動操作部材４３にかけた指が手の重量を感じることなく、容易に回動操作を行うことができ、長時間遊技を続けても手及び指の疲労感を少なくすることができる。
また、把持部９５の膨出部９６は、側面視略釣り鐘形状の軸心９５Ａが回動操作部材４３の回動軸心４３Ａよりも下方に位置するように偏心して設けられると共に、膨出部９６の基端部は、回動操作部材４３の遊技者側前端部の外周径よりも小さい外径に形成されている。これにより、回動操作部材４３の操作時に遊技者の手指と膨出部９６の基端部との間に確実に隙間を形成することができ、回動操作部材４３の操作時に、指が膨出部９６の基端部に接触することを確実に防止できる。また、操作ハンドル１０を把持するにあたり、手指の回動操作部材４３に接触し自由に動かす部分と、手の重量を支え固定する部分とが、この遊技者の手指と膨出部９６の基端部との間に形成される隙間によって分けられることとなり、指を動かし易くスムーズ且つ微少な回動操作を確実に行うことができる。また、この膨出部９６の側面視略釣り鐘形状の軸心９５Ａを回動操作部材４３の回動軸心４３Ａよりも下側方向により偏心させて設けられるため、回動操作部材４３の回動操作時に、遊技者は斜め上方向から膨出部９６の上面部に手の平を更に容易に載せることが可能となり、手をスムーズな姿勢で把持部９５の膨出部９６に置いて回動操作を行うことができ、長時間遊技を続けても手及び指の疲労感を更に少なくすることができる。
【００３６】
また、回動操作部材４３の外周部５５は、遊技者側端面部の外径がハンドル本体部４１側端面部の外径よりも小さくなるように略円錐台形状に形成されているため、回動操作部材４３の複数の引掛部５５Ａ〜５５Ｃに指を引っ掛けて操作する場合に、遊技者は手の平を把持部９５の膨出部９６に載せて操作できると共に、指は操作ハンドル１０の把持行為の一環として回動操作部材４３の外周部５５に自然に伸ばして開いた状態で載せて操作できるため、回動操作部材４３の操作性の向上を図ることができ、長時間遊技を続けても手及び指の疲労感を更に少なくすることができる。
また、把持部９５の膨出部９６の基端部は、回動操作部材４３の遊技者側前端部の外周径よりも小さい外径に形成されると共に、該基端部の外周部から略直角外側方向に延出されて該基端部と回動操作部材４３との隙間を覆うフランジ部９６が設けられている。これにより、膨出部９６の基端部と回動操作部材４３の遊技者側前端部との間に形成される隙間は、この膨出部９６の基端部の外周部から略直角外側方向に延出されて形成されるフランジ部９７によって覆われるため、膨出部９６の基端部と回動操作部材４３の遊技者側前端部との間に形成される段差に指が挟み込まれるのを確実に防止することができる。
【００３７】
更に、把持部９５は、回動操作部材４３の遊技者側前端部から該回動操作部材４３の回動軸心４３Ａよりも下方に位置するように偏心して配置される軸心９５Ａに沿って、前側方向に側面視略釣り鐘形状に膨出して遊技者の手の平内に収まるように形成される膨出部９６と、この膨出部９６の基端部の外周部から略直角外側方向に、回動軸心４３Ａを中心軸とする正面視略円形状に延出されるフランジ部９７とから構成されるため、この把持部９５を樹脂成形によって作成することが可能となり、部品点数の削減化及び作業工数の削減化を図ることができる。
【図面の簡単な説明】
【００３８】
【図１】本実施例に係るパチンコ機全体を示した正面図である。
【図２】本実施例に係るパチンコ機全体を示した平面図である。
【図３】本実施例に係るパチンコ機全体を示した右側面図である。
【図４】本実施例に係るパチンコ機全体を示した正面側斜視図である。
【図５】本実施例に係るパチンコ機全体を示した背面側斜視図である。
【図６】本実施例に係るパチンコ機の操作ハンドルを示した斜視図である。
【図７】本実施例に係るパチンコ機の操作ハンドルを示した正面図である。
【図８】本実施例に係るパチンコ機の操作ハンドルを示した背面図である。
【図９】本実施例に係るパチンコ機の操作ハンドルを示した右側面図である。
【図１０】本実施例に係るパチンコ機の操作ハンドルを示した左側面図である。
【図１１】本実施例に係るパチンコ機の操作ハンドルを示した平面図である。
【図１２】本実施例に係るパチンコ機の操作ハンドルを示した下面図である。
【図１３】本実施例に係るパチンコ機の操作ハンドルを示した分解斜視図である。
【図１４】本実施例に係るパチンコ機の操作ハンドルを示した側断面図である。
【図１５】本実施例に係るパチンコ機の操作ハンドルを手で操作する状態を説明する説明図である。
【図１６】他の実施例に係るパチンコ機の操作ハンドルを示した右側面図である。
【図１７】他の実施例に係るパチンコ機の操作ハンドルを示した左側面図である。
【図１８】更に他の実施例に係るパチンコ機の操作ハンドルを示した右側面図である。
【図１９】更に他の実施例に係るパチンコ機の操作ハンドルを示した左側面図である。
【符号の説明】
【００３９】
１                  パチンコ機
１０                操作ハンドル
３０                発射制御基板ケース
４１                ハンドル本体部
４２、９１、９５    把持部
４３                回動操作部材
４３Ａ              回動軸心
４５                支持部材
４７                保持部材
５２、９２、９６    膨出部
５２Ａ              先端面部
５３、９３、９７    フランジ部
５５                外周部
５５Ａ〜５５Ｃ      引掛部
８１                段差部
８５                隙間
９５Ａ              軸心
【図１】
2006158622.tif 000003
【図２】
2006158622.tif 000004
【図３】
2006158622.tif 000005
【図４】
2006158622.tif 000006
【図５】
2006158622.tif 000007
【図６】
2006158622.tif 000008
【図７】
2006158622.tif 000009
【図８】
2006158622.tif 000010
【図９】
2006158622.tif 000011
【図１０】
2006158622.tif 000012
【図１１】
2006158622.tif 000013
【図１２】
2006158622.tif 000014
【図１３】
2006158622.tif 000015
【図１４】
2006158622.tif 000016
【図１５】
2006158622.tif 000017
【図１６】
2006158622.tif 000018
【図１７】
2006158622.tif 000019
【図１８】
2006158622.tif 000020
【図１９】
2006158622.tif 000021